(57)【要約】      （修正有）【課題】取付け、取外しが簡単で、自動車への降雪とフロントガラス等の凍結を防ぐカーカバーを提供する。【解決手段】カーカバーは防水布からなり、裏側にはアルミマットを貼ることを特徴とする。【選択図】図２
0003160337.tif 000002
【実用新案登録請求の範囲】
【請求項１】
冬季になると，自動車の屋根に降雪するが特に，フロントガラス・リアガラス・側面ガラスの降雪と凍結は，運転に大きな支障となる。
これを最小限に被害を少なくする為に，ガラス凍結防止となるカバ−を考案しその便利カ−カバ−を提供する。
【考案の詳細な説明】
【技術分野】
【０００１】この考案は，冬季に自動車を自宅で露天駐車をした時に降雪し，フロントガラスが凍結する。その被害を最小限にするカ−カバ−に関するものである。
【背景技術】
【０００２】従来より，カーカバ−は数多く存在するが，コンパクトであり片づけも簡単に出来て且つ，凍結防止の工夫をした便利なカーカバ−は他に見当たらない。
【考案の開示】
【本考案が解決しようとする課題】
【０００３】従来のカーカバ−は，自動車をすっぽり包む構造であり，カバ−を外して片づけるには，嵩張り大変困難であり又，大変時間がかかります。
外した後は，フロントガラス等が凍結している場合は，運転開始するまでに長い時間を必要とする為大変苦痛に思う。
【課題を解決する手段】
【０００４】それを解決する為に本考案は，特に必要部分のみカバ−をかぶせ且つ，フロントガラスの様に重要部分に直接接するところにアルミマットを貼り付ける構造とした。これにより，取り付け，取り外し，片付けを短時間で出来るように，又，凍結防止装置を取り付けている為，運転開始まで無駄な長時間をなくする事が出来る。
【本考案の効果】
【０００５】本考案によれば，
１．カ−カバ−の取り付け，取り外し，が簡単で短時間で出来る。
２．カーカバ−は，嵩張らないので片付けを短時間で楽に出来る利便性がある。
３．フロントガラスの凍結も防止する事が出来る。
４．フロントガラスが凍結しないので，エンジンをかけ即運転しても安全上支障がない。
【考案を実施するための最良の形態】
【０００６】本考案の実施形態について説明する。
冬季において，寒い地方ほど自動車を止めて用事をたしている間に，降雪がある。
マイカ−も自宅で露天駐車をしている場合，降雪とフロントガラスや左右のガラス・リアガラスが凍結でガリガリの状態となる。
ほどほどに凍結を削り落しても，見通しが悪く交通事故の原因として極めて危険である。
カ−カバ−は，自動車全体を覆うものは，市販されているが扱いに難点がある為，本考案はその難点を取り除き，降雪とガラスの凍結対策として図１及び図２の様に，自動車の屋根からフロントガラス・リアガラス・左右ガラスを防水布で覆い，フロントガラスの重要部分の内側には凍結防止のアルミマットを貼り付ける。
風等による飛散防止の為に，バックミラ−部にマジックテープで巻き付ける。
又，図２の様に左右２箇所にゴム製ベルトの一番下部にフックを取り付ける。
フックは，車体下部に図２の様に取り付ける。
この様に自動車の中心的部分，重要部分のみを覆う事により，急用で即運転が必要な場合は，取り外しや移動が簡単なため特に便利さを感じる。
便利カ−カバ−は主に以下の利点がある，コンパクトであり軽量であるから取り付け，取り外しは作業が楽である事と，短時間で出来る事と保管が即どこにでも入れられる。
その他重要なのは，フロントガラスが凍結しない為，交通安全上特に重要な意味をもつ。
又，凍結を防止する為，ワイパ−やフロントガラスを傷める事がなく発進するまでエンジンをかけてガラスの氷を溶かす時間・労力が極めて少なくなる。【０００７】便利カ−カバ−の素材と取り付け方について説明する。
図１図２の防水布は，素材として布，ビニ−ル，ビニ−ル系合成布を使用する。
アルミマットの取り付けは，フロントガラス部分が重要なため直接ガラスに接する部分に図３の様に取り付ける。
これにより，雪の降る地方では降雪部分は撤去してもガラスが凍結してしまうと安全運転上，即運転は極めて危険であるので便利カ−カバ−の使用で安心・安全な車両管理と運転管理ができる。
【図面の簡単な説明】
【０００８】
【図１】本考案の便利カ−カバ−正面図
【図２】本考案の便利カ−カバ−側面斜視図
【図３】本考案のアルミマット取り付け図
【図４】本考案のフック付きゴム製ベルト正面図
【図５】本考案のマジックテ−プ
【符号の説明】１  便利カーカバ−
２  カーカバ−フロント部分
３  カーカバ−リア部分
４  ゴム製ベルト
５  フック
６  マジックテ−プ
７  アルミマット
【図１】
0003160337.tif 000003
【図２】
0003160337.tif 000004
【図３】
0003160337.tif 000005
【図４】
0003160337.tif 000006
【手続補正書】
【提出日】平成22年3月25日(2010.3.25)
【手続補正１】
【補正対象書類名】実用新案登録請求の範囲
【補正対象項目名】全文
【補正方法】変更
【補正の内容】
【実用新案登録請求の範囲】
【請求項１】
自動車のフロントガラス・リアガラス・側面ガラスを，積雪と凍結から保護する為に防水布で裏側はアルミマットを貼り付る構造にしたカ−カバ−。
【手続補正２】
【補正対象書類名】明細書
【補正対象項目名】０００６
【補正方法】変更
【補正の内容】
【０００６】本考案の実施形態について説明する。
冬季において，寒い地方ほど自動車を止めて用事をたしている間に，降雪がある。
マイカ−も自宅で露天駐車をしている場合，降雪とフロントガラスや左右のガラス・リアガラスが凍結でガリガリの状態となる。
ほどほどに凍結を削り落しても，見通しが悪く交通事故の原因として極めて危険である。
カ−カバ−は，自動車全体を覆うものは，市販されているが扱いに難点がある為，本考案はその難点を取り除き，降雪とガラスの凍結対策として図１及び図２の様に，自動車の屋根からフロントガラス・リアガラス・左右ガラスを防水布で覆い，フロントガラスの重要部分の内側には凍結防止のアルミマットを貼り付ける。
風等による飛散防止の為に，バックミラ−部にマジックテープ（登録商標）で巻き付ける。
又，図２の様に左右２箇所にゴム製ベルトの一番下部にフックを取り付ける。
フックは，車体下部に図２の様に取り付ける。
この様に自動車の中心的部分，重要部分のみを覆う事により，急用で即運転が必要な場合は，取り外しや移動が簡単なため特に便利さを感じる。
便利カ−カバ−は主に以下の利点がある，コンパクトであり軽量であるから取り付け，取り外しは作業が楽である事と，短時間で出来る事と保管が即どこにでも入れられる。
その他重要なのは，フロントガラスが凍結しない為，交通安全上特に重要な意味をもつ。又，凍結を防止する為，ワイパ−やフロントガラスを傷める事がなく発進するまでエンジンをかけてガラスの氷を溶かす時間・労力が極めて少なくなる。
【手続補正３】
【補正対象書類名】明細書
【補正対象項目名】０００８
【補正方法】変更
【補正の内容】
【０００８】
【図１】  本考案の便利カ−カバ−正面図
【図２】  本考案の便利カ−カバ−側面斜視図
【図３】  本考案のアルミマット取り付け図
【図４】  本考案のフック付きゴム製ベルト正面図
【符号の説明】
１  便利カーカバ−
２  カ−カバ−フロント部分
３  カ−カバ−リア部分
４  ゴム製ベルト
５  フック
６  マジックテ−プ（登録商標）
７  アルミマット